(57)【要約】【課題】敷設や取り外しを容易に行えるとともに、自動清掃ロボットによる清掃が可能であり、かつ水中でも滑りにくく歩きやすいプール底敷用マットを提供すること。【解決手段】複数のシート１を連結してプールＰの底に敷設し、シート１上で水中歩行を行うようにしたプール底敷用マットであって、連結部でシート１同士を突き合わせるとともに、突き合わせたシート１の上に板状の連結部材２を係着してシート１を連結、一体化している。【選択図】図１
2006152783.tif 000002
【特許請求の範囲】
【請求項１】
複数のシートを連結してプール底に敷設し、該シート上で水中歩行を行うようにしたプール底敷用マットにおいて、連結部でシート同士を突き合わせるとともに、突き合わせたシートの上に板状の連結部材を係着して該シートを連結、一体化したことを特徴とするプール底敷用マット。
【請求項２】
前記シートと連結部材を、凹部と凸部の嵌合により係着したことを特徴とする請求項１記載のプール底敷用マット。
【請求項３】
前記凹部及び凸部を、シート及び連結部材の両側部を除き、幅方向に連続して形成したことを特徴とする請求項２記載のプール底敷用マット。
【請求項４】
前記シートと連結部材を、面ファスナーにより係着したことを特徴とする請求項１記載のプール底敷用マット。
【請求項５】
連結部材の表面に凹凸を設けたことを特徴とする請求項１、２、３又は４記載のプール底敷用マット。
【請求項６】
シートの表面に凹凸を設け、水濡れした状態の下でのシートのすべり抵抗係数であるＣ．Ｓ．Ｒ・Ｂ値を０．４〜１．２としたことを特徴とする請求項１、２、３、４又は５記載のプール底敷用マット。
【請求項７】
シートの厚みを２〜７ｍｍとしたことを特徴とする請求項１、２、３、４、５又は６記載のプール底敷用マット。
【請求項８】
シートの裏面に金属板を固定したことを特徴とする請求項１、２、３、４、５、６、７又は８記載のプール底敷用マット。
【請求項９】
金属板をシートにビスにより固定したことを特徴とする請求項８記載のプール底敷用マット。
【請求項１０】
金属板の裏面に緩衝材を固定したことを特徴とする請求項８又は９記載のプール底敷用マット。
【発明の詳細な説明】
【技術分野】
【０００１】
本発明は、シート上で水中歩行を行うようにしたプール底敷用マットに関し、特に、敷設や取り外しを容易に行えるとともに、自動清掃ロボットによる清掃が可能であり、かつ水中でも滑りにくく歩きやすいプール底敷用マットに関するものである。
【背景技術】
【０００２】
シート上で水中歩行を行うようにしたプール底敷用マットとして、例えば、特許文献１に記載のプール底敷用マットがある。
このプール底敷用マットは、複数の突起と貫通孔とが上面に形成され、かつ比重が１以上になされたシートと、該シート同士を連結するための連結部材とを備え、連結部材は、連結するシート同士のそれぞれの貫通孔に挿入される複数の突起を有し、連結した状態で前記シート上面に突出する突起の頭部が前記シートの突起と略同形状となるようにしている。
【０００３】
しかしながら、上記従来のプール底敷用マットは、連結部材をシートの下側から取り付けるため、シートと連結部材の脱着が容易には行えず、これにより、特に水中でのシートの取り外しや組み立てが困難になるという問題を有している。
また、プールの底部は水を張った状態で専用のロボットにより定期的に自動清掃しているが、この従来のプール底敷用マットは、シートの突起や厚みから自動清掃ロボットが引っ掛かり、プール底敷用マット上が十分に清掃されないという問題を有している。
【特許文献１】特開２００２−２２７４４０号公報
【発明の開示】
【発明が解決しようとする課題】
【０００４】
本発明は、上記従来のプール底敷用マットが有する問題点に鑑み、敷設や取り外しを容易に行えるとともに、自動清掃ロボットによる清掃が可能であり、かつ水中でも滑りにくく歩きやすいプール底敷用マットを提供することを目的とする。
【課題を解決するための手段】
【０００５】
上記目的を達成するため、本発明のプール底敷用マットは、複数のシートを連結してプール底に敷設し、該シート上で水中歩行を行うようにしたプール底敷用マットにおいて、連結部でシート同士を突き合わせるとともに、突き合わせたシートの上に板状の連結部材を係着して該シートを連結、一体化したことを特徴とする。
【０００６】
この場合において、前記シートと連結部材を、凹部と凸部の嵌合により係着することができる。
【０００７】
また、前記凹部及び凸部を、シート及び連結部材の両側部を除き、幅方向に連続して形成することができる。
【０００８】
また、前記シートと連結部材を、面ファスナーにより係着することができる。
【０００９】
また、連結部材の表面に凹凸を設けることができる。
【００１０】
また、シートの表面に凹凸を設け、水濡れした状態の下でのシートのすべり抵抗係数であるＣ．Ｓ．Ｒ・Ｂ値を０．４〜１．２とすることができる。
【００１１】
また、シートの厚みを２〜７ｍｍとすることができる。
【００１２】
また、シートの裏面に金属板を固定することができる。
【００１３】
また、金属板をシートにビスにより固定することができる。
【００１４】
また、金属板の裏面に緩衝材を固定することができる。
【発明の効果】
【００１５】
本発明のプール底敷用マットによれば、複数のシートを連結してプール底に敷設し、該シート上で水中歩行を行うようにしたプール底敷用マットにおいて、連結部でシート同士を突き合わせるとともに、突き合わせたシートの上に板状の連結部材を係着してシートを連結、一体化することから、シートと連結部材の脱着をシートの上から行うことができ、これにより、水中でのシートの取り外しや組み立てを容易にすることができる。
【００１６】
この場合、前記シートと連結部材を、凹部と凸部の嵌合により係着することにより、簡単で確実にシートと連結部材を脱着することができる。
【００１７】
また、前記凹部及び凸部を、シート及び連結部材の両側部を除き、幅方向に連続して形成することにより、シートと連結部材を幅方向に亘り安定して連結するとともに、該シートと連結部材の両側部で凹部と凸部のずれを止めることができる。
【００１８】
また、前記シートと連結部材を、面ファスナーにより係着することにより、簡単で確実にシートと連結部材を脱着することができる。
【００１９】
また、連結部材の表面に凹凸を設けることにより、水中でも滑りにくく歩きやすいプール底敷用マットとすることができる。
【００２０】
また、シートの表面に凹凸を設け、水濡れした状態の下でのシートのすべり抵抗係数であるＣ．Ｓ．Ｒ・Ｂ値を０．４〜１．２とすることにより、水中でも滑りにくく歩きやすいプール底敷用マットとすることができる。
【００２１】
また、シートの厚みを２〜７ｍｍとすることにより、シートがある所とない所との段差における自動清掃ロボットの引っ掛かりを防止し、プール底敷用マット上も自動清掃することができる。
【００２２】
また、シートの裏面に金属板を固定することにより、水中でのシートの捲れやずれを防止することができる。
【００２３】
また、金属板をシートにビスによって固定することにより、安定した固定状態を得るとともに、脱着を容易に行うことができる。
【００２４】
また、金属板の裏面に緩衝材を固定することにより、金属板によるプール底の傷付きを防止することができる。
【発明を実施するための最良の形態】
【００２５】
以下、本発明のプール底敷用マットの実施の形態を、図面に基づいて説明する。
【実施例１】
【００２６】
図１〜図４に、本発明のプール底敷用マットの一実施例を示す。
このプール底敷用マットは、図３に示すように、複数のシート１を連結してプールＰの底に敷設し、該シート１上で水中歩行を行うようにしたもので、連結部でシート１同士を突き合わせるとともに、突き合わせたシート１の上に板状の連結部材２を係着して該シート１を連結、一体化している。
【００２７】
シート１は、特に限定されるものではないが、例えば、図４に示すように、高い耐候性を有する塩化ビニル樹脂等の合成樹脂からなる表層１ａ、ガラスマット中間層１ｂ及び塩化ビニル樹脂等の合成樹脂裏打層１ｃの３層からなるシートを好適に用いることができる。
そして、図１に示すように、その長手方向の端部には、後述する連結部材２の凸部３が嵌合する凹部４を備えた硬質塩化ビニル樹脂等の合成樹脂からなる突き合わせ部５が、必要に応じて、軟質塩化ビニル樹脂等の合成樹脂からなる接続部５１を介して、溶接されている。
凹部４は、図６（ａ）に示すように、シート１の両側部を除き、幅方向に連続して形成されている。この部分的な凹部４は、一旦幅方向いっぱいに形成した溝を、シート１の両側部でシーリング剤等の充填材により埋めることによっても形成することができる。
【００２８】
シート１は、厚みが２〜７ｍｍ、本実施例では５ｍｍに形成されており、裏面に錘としてのステンレス等の金属板６を部分的に固定することにより、プールＰの底に固定することなく単に敷設したシート１の捲れやずれを防止するようにしている。本実施例では、図３に示すように、連結した複数のシート１の両端において、約２０ｋｇのステンレス金属板６をシート１の裏面に固定している。
金属板６は、面ファスナーによりシート１に固定することも可能であるが、硬質物間に面ファスナーが挟まれるため脱着がしにくいことがあり、このため、本実施例では、図６（ｂ）に示すように、金属板６と、突き合わせ部５に使用する硬質塩化ビニル樹脂等の合成樹脂からなる部材と同じ形状の金属板接続用部材５’とを、この金属板接続用部材５’の表側から皿ビス等のビス１０によって固定するようにしている。
このほか、必要に応じて、図６（ｃ）に示す変形実施例のように、シート１に接続した硬質塩化ビニル樹脂等の合成樹脂からなる突き合わせ部５側にも、金属板６を、突き合わせ部５の表側から皿ビス等のビス１０によって固定するようにすることもできる。
そして、裏面に錘としてのステンレス等の金属板６を固定した金属板接続用部材５’は、連結部材２によって、シート１の端部の突き合わせ部５と連結、一体化される。なお、金属板接続用部材５’にも、その両端部を除き、凹部４を幅方向に連続して形成するようにしている。
また、図６（ｄ）に示すように、金属板６の裏面に緩衝材１１を固定することにより、金属板６によるプール底の傷付きを防止することができる。緩衝材１１にはゴム等の弾性材を用いることができ、本実施例ではこの緩衝材１１を金属板６にビス１２により裏側から固定している。
【００２９】
シート１の表面には凹凸が設けられており、水濡れした状態の下でのシートのすべり抵抗係数であるＣ．Ｓ．Ｒ・Ｂ値（ＪＩＳ  Ａ  １４５４に準拠するＯＹ−ＰＵＬＬ法によるすべり抵抗値（素足での歩行を想定））を０．４〜１．２とすることにより、水中でも滑りにくく歩きやすいようにしている。
【００３０】
ここで、ＯＹ−ＰＵＬＬ法は、図５に示すすべり抵抗試験機を用い、水平面に一定荷重（７６５Ｎ）をかけたすべり片を１８度の角度で７８５Ｎ／秒の力で引っ張った時の静止摩擦係数を測定する。なお、７６５Ｎは人の体重、１８度は歩行の際の足の入る角度、７８５Ｎ／秒の力は一般体重の人が歩行する際にかかる力をそれぞれ想定している。
ところで、Ｃ．Ｓ．Ｒ・Ｂ値は、素足での歩行を想定したすべり抵抗の評価指標である。
測定は、傾斜３０度の引張側端部を有する底面積５６ｃｍ２のすべり片に、素足に近似した軟質の合成樹脂材料片を取り付け、載荷重をかけ、測定対象の床材上に水等を介在させ（ここでは、水並びに試験用ダスト第１種及び第７種（ＪＩＳ  Ｚ  ８９０１）を２０：９：１の重量比で混合した材料を４００ｇ／ｍ２の割合で散布するようにした。）、床材から仰角１８度で引っ張って行い、すべり始め時の最大引っ張り所要力を載荷重で除した値と降伏点以降の最小引っ張り所要力を載荷重で除した値の加算値をＣ．Ｓ．Ｒ・Ｂ値という。よって、Ｃ．Ｓ．Ｒ・Ｂ値が大きいほど、滑りにくく、具体的には、０．４以上の場合、滑りにくいとされている。
【００３１】
一方、連結部材２は、硬質塩化ビニル樹脂等の合成樹脂の板材からなり、図１（ａ）及び図１（ｂ）に示すように、シート端部の凹部４に嵌合する凸部３を備えている。凸部３は大径の頭部を有し、シート１の凹部４にこの頭部を強制的に嵌合させることにより、シート１に係着することができる。
凸部３は、図６（ａ）に示すように、連結部材２の両側部を除き、幅方向に連続して形成されている。この部分的な凸部３は、一旦幅方向いっぱいに形成した凸条を、連結部材２の両側部で切除することによっても形成することができる。
なお、連結部材２の凸部３とシート１の凹部４の位置決めが行いにくい場合は、図１（ａ）に示すように、シート１の連結部材２の両端に対応する位置に、例えば、溝状の目印７を入れることも可能である。
また、図１（ｂ）に示すように、連結部材２をシート１の上面と面一になるように、シート端部に嵌合させることもでき、これにより、連結部材２がシート１の表面から突出することを防止することができる。
また、図２に示すように、シート１と連結部材２は面ファスナー８により係着することもでき、これにより、簡単で確実にシート１と連結部材２を脱着することができる。この場合、シート１に装着した連結部材２の端縁が浮き上がらないように、連結部材２の裏面を若干窪ませて形成し、この窪み部に面ファスナー８を配設するようにすることが望ましい。
また、図１（ａ）及び図２に示すように、連結部材２の表面には凹凸を設けることができ、本実施例では、シート１の長手方向に直交する凸条９を複数設けることにより、水中でも滑りにくく歩きやすいようにしている。
【００３２】
かくして、本実施例のプール底敷用マットは、複数のシート１を連結してプール底に敷設し、該シート１上で水中歩行を行うようにしたプール底敷用マットにおいて、連結部でシート１同士を突き合わせるとともに、突き合わせたシート１の上に板状の連結部材２を係着して該シート１を連結、一体化することから、シート１と連結部材２の脱着をシート１の上から行うことができ、これにより、水中でのシート１の取り外しや組み立てを容易にすることができる。
この場合、前記シート１と連結部材２を、凹部４と凸部３の嵌合により係着したり、面ファスナー８により係着することにより、簡単で確実にシート１と連結部材２を脱着することができる。
また、凹部４及び凸部３を、シート１及び連結部材２の両側部を除き、幅方向に連続して形成することにより、シート１と連結部材２を幅方向に亘り安定して連結するとともに、該シート１と連結部材２の両側部で凹部４と凸部３のずれを止めることができる。
また、連結部材２の表面に凹凸を設けるとともに、シート１の表面にも凹凸を設け、水濡れした状態の下でのシートのすべり抵抗係数であるＣ．Ｓ．Ｒ・Ｂ値を０．４〜１．２とすることにより、水中でも滑りにくく歩きやすいプール底敷用マットとすることができる。
そして、シート１の厚みを２〜７ｍｍとすることにより、シート１がある所とない所との段差を小さくして、段差における自動清掃ロボットの引っ掛かりを防止し、プール底敷用マット上を含むプール底全面を自動清掃することができ、さらに、シート１の裏面に金属板６を固定することにより、水中でのシート１の捲れやずれを防止することができる。
さらに、金属板６をシート１にビス１０によって固定することにより、安定した固定状態を得るとともに、脱着を容易に行うことができ、また、金属板６の裏面に緩衝材１１を固定することにより、金属板６によるプール底の傷付きを防止することができる。
【００３３】
以上、本発明のプール底敷用マットについて、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができる。
【産業上の利用可能性】
【００３４】
本発明のプール底敷用マットは、敷設や取り外しを容易に行えるとともに、自動清掃ロボットによる清掃が可能であり、かつ水中でも滑りにくく歩きやすいという特性を有していることから、例えば、リハビリ等において水中歩行を練習する際のプール底敷用マットの用途等に好適に用いることができる。
【図面の簡単な説明】
【００３５】
【図１】本発明のプール底敷用マットの実施例を示し、（ａ）は第１実施例を示す正面図、（ｂ）は第２実施例を示す正面断面図である。
【図２】本発明のプール底敷用マットの第３実施例を示す側面図である。
【図３】本発明のプール底敷用マットをプール底に設置した状態を示す平面図である。
【図４】本発明のプール底敷用マットの概要を示す一部切欠斜視図である。
【図５】ＯＹ−ＰＵＬＬ法に用いるすべり抵抗試験機の説明図である。
【図６】本発明のプール底敷用マットの実施例を示し、（ａ）は連結部の平面図、（ｂ）はシートに金属板を固定した状態を示す断面図、（ｃ）はシートに金属板を固定した状態を示す変形実施例の断面図、（ｄ）は金属板に緩衝材を固定した状態を示す断面図である。
【符号の説明】
【００３６】
１    シート
２    連結部材
３    凸部
４    凹部
５    突き合わせ部
５’  金属板接続用部材
６    金属板
７    目印
８    面ファスナー
９    凸条
１０  ビス
１１  緩衝材
１２  ビス
Ｐ    プール
【図１】
2006152783.tif 000003
【図２】
2006152783.tif 000004
【図３】
2006152783.tif 000005
【図４】
2006152783.tif 000006
【図５】
2006152783.tif 000007
【図６】
2006152783.tif 000008